(57)【要約】【課題】  眼の粘膜を介してウイルス感染することを防御可能なウイルス対策ゴーグルを提供する。【解決手段】  本発明は、顔面に密着した状態で装着可能としたゴーグル本体と、ゴーグル本体に形成され、同ゴーグル本体内部の湿気を外部に放出する通気部と、を備え、通気部に、ウイルスの進入を防御するフィルタを設けたこととした。【選択図】図１
2010046389.tif 000002
【特許請求の範囲】
【請求項１】
顔面に密着した状態で装着可能としたゴーグル本体と、
前記ゴーグル本体に形成され、同ゴーグル本体内部の湿気を外部に放出する通気部と、
を備え、
前記通気部に、ウイルスの進入を防御するフィルタを設けたことを特徴とするウイルス対策ゴーグル。
【請求項２】
前記フィルタは、
静電気帯電フィルタであることを特徴とする請求項１に記載のウイルス対策ゴーグル。
【請求項３】
前記静電気帯電フィルタは、メルトブローン材料からなることを特徴とする請求項１又は請求項２に記載のウイルス対策ゴーグル。
【発明の詳細な説明】
【技術分野】
【０００１】
本発明は、眼の粘膜からウイルス感染を防止可能としたウイルス対策ゴーグルに関するものである。
【背景技術】
【０００２】
近年、鳥インフルエンザ等のウイルスによるパンデミック化が懸念されている。特に、そのような状態となれば、医療従事者が患者と最初の段階に接触するため、医療従事者を介して２次感染する確率が高く、この２次感染を防止するためにさまざまな感染防止用品が開発されている。
【０００３】
例えば、口や鼻からの感染を防御する感染防止用品として、高性能なフィルタ機能を有するマスクが開発されている。
【０００４】
しかし、近年では、眼の粘膜から感染する新種のウイルスの存在が報告されており、マスクを装着しただけでは眼が露出してしまっているため、飛散した血液などが眼に入るおそれがあり、感染防止には不十分であることが分かった。そこで、ゴーグルなどを使用することが考えられるが、ウイルスから眼を守り、眼からのウイルス感染を防止することを目的としたゴーグルは存在しない。
【０００５】
例えば、手術中に患部を照射するためのライト部を備えたゴーグルが医療従事者用のゴーグルとして開示されている（例えば、特許文献１を参照。）が、ウイルス感染を防止することを目的としたものではない。
【０００６】
また、特許文献２には、ゴーグルタイプではないが、多数の感染 症患者が発生した場合でも、搬送スタッフの安全を確保しながら感染症患者を医療施設に迅速に搬送可能にした感染症患者搬送用マスクが提案されている。
【特許文献１】特開２００５−１８５７４９号公報
【特許文献２】特開２００２−１５０８０３号公報
【発明の開示】
【発明が解決しようとする課題】
【０００７】
しかしながら、特許文献２に記載のマスクは、重装備になるため、医療従事者用とするには不適当である。このように、従来、眼の粘膜を介してウイルスに感染することを防御することを目的としたゴーグルはないため、かかるゴーグルの早急な開発が望まれているところである。
【０００８】
上記の点に鑑み、本発明では、眼の粘膜を介してウイルス感染することを防御可能なウイルス対策ゴーグルを提供することを目的としている。
【課題を解決するための手段】
【０００９】
請求項１に係る発明では、顔面に密着した状態で装着可能としたゴーグル本体と、前記ゴーグル本体に形成され、同ゴーグル本体内部の湿気を外部に放出する通気部と、を備え、前記通気部に、ウイルスの進入を防御するフィルタを設けたウイルス対策ゴーグルとした。
【００１０】
請求項２に係る発明は、請求項１に記載のウイルス対策ゴーグルにおいて、前記フィルタは、静電気帯電フィルタであることを特徴とする。
【００１１】
請求項３に係る発明は、請求項１又は請求項２に記載のウイルス対策ゴーグルにおいて、前記静電気帯電フィルタは、メルトブローン材料からなることを特徴とする。
【発明の効果】
【００１２】
本発明によれば、ゴーグル本体内の蒸気を外部へ排出できるため長時間してもゴーグル本体のレンズ部が曇ることを防止できるため、医療従事者が用いるのに好適であり、しかも、通気部は、外部からゴーグル本体内へ進入するウイルスをカットできるため、眼の粘膜を介してウイルス感染することを防止することが可能となる。
【発明を実施するための最良の形態】
【００１３】
以下に、本発明の実施形態について図面を参照しながら説明する。
【００１４】
図１は本実施形態のウイルス対策ゴーグルを示す構成図、図２は本実施形態のウイルス対策ゴーグルを頭部に装着した状態を示す説明図、図３は本実施形態のウイルス対策ゴーグルの要部である通気部を示す構成図である。
【００１５】
本発明に係るウイルス対策ゴーグル１は、顔面に密着した状態で装着可能としたゴーグル本体２と、このゴーグル本体２に形成され、同ゴーグル本体２の内部の湿気を外部に放出するための通気部３とを備え、この通気部３に、ウイルスの進入を防御するフィルタを設けたものである。すなわち、図１および図２に示すように、両眼Ｅ，Ｅを囲繞し、その周囲および鼻Ｎを露出するように顔面に密着した状態で装着可能としたゴーグル本体２に、同ゴーグル本体２内部の湿気（図３（ｃ）中の点線矢印は湿気の流れを示している）を外部に放出する通気部３を設け、この前記通気部３に、ウイルスの進入を防御する静電気帯電フィルタ５０を設けている。
【００１６】
ゴーグル本体２は、透明なレンズ部１１を前面に装着するとともに、両眼Ｅ，Ｅを囲繞した状態で、鼻Ｎを露出可能な形状とした覆部２０を有しており、この覆部２０は、顔面の皮膚との密着性を保ちつつ可撓性を備えた樹脂材で成形されている。また、覆部２０の側部には、頭部Ｈに装着可能とするバンド部４を取付ける装着部２５，２５が左右に設けられている。
【００１７】
ゴーグル本体２に装着された透明なレンズ部１１は、良好な視認性を有するとともに、外部からウイルスの侵入ができないように、その周縁がゴーグル本体２の前面開口部１０に緊密状態に装着されている。
【００１８】
また、覆部２０には、上部２１の左右に離間した２箇所と下部２２の左右に離間した２箇所に、ゴーグル本体２の内部と外部との通気を行う複数の通気部３，３，３，３が設けられている。したがって、ゴーグル本体２の内部に湿気が溜まり、レンズ部１１が曇ることを防止している。
【００１９】
図３に示すように、各通気部３は、截頭円錐形状に形成された断面視台形形状の外装部材３０と、この外装部材３０の内周面３１に一体的に嵌着可能とした略同形状の押え部材４０と、これら外装部材３０と押え部材４０との間に介設される円形の静電気帯電フィルタ５０（図３（ｃ）参照）とから構成される。
【００２０】
外装部材３０の外周面３２には、台形状の開口部３３が複数形成された構成となっている。そして、図３（ｃ）に示すように、外装部材３０の下端部３４は、ゴーグル本体２の覆部２０に形成した装着開口部２３に嵌着可能とした構成となっている。
【００２１】
押え部材４０は、外装部材３０の内周面３１に沿った断面視台形であり、押え部材４０の上部４１には円形の静電気帯電フィルタ５０を装着可能とした開口部４２が形成されている。すなわち、ゴーグル本体２の内部と外部との実質的な通気は、押え部材４０の開口部４２、静電気帯電フィルタ５０、及び外装部材３０の開口部３３を介して行われることになる。
【００２２】
ここで、静電気帯電フィルタ５０を通気部３内に装着する手順について説明する。
【００２３】
先ず、押え部材４０の上部４１の開口部４２を塞ぐように円形の静電気帯電フィルタ５０を載せる。次いで、静電気帯電フィルタ５０を載せた状態の押え部材４０をゴーグル本体２の内側から装着開口部２３に挿入して、押え部材４０と外装部材３０とを嵌着する。
【００２４】
こうして、外装部材３０の天井部３５と押え部材４０の上部４１の間に静電気帯電フィルタ５０を挟んだ状態で装着するのである。
【００２５】
あるいは、外装部材３０の頂面を下側に向けて、頂面内部に静電気帯電フィルタ５をセットし、その後、押え部材４０の上部４１で静電気帯電フィルタ５を押圧するように当該押え部材４０を外装部材３０に嵌合してもよい。
【００２６】
ここで、静電気帯電フィルタ５０は、メルトブローン材料で構成するようにしている。
【００２７】
メルトブローン材料は、ポリプロピレンからなる高分子の複合体の組成を有し、１．５μｍ〜５μｍに形成した繊維を積み上げ、繊維同士の間をお互いに交差して巻き付かせて１枚の厚さの布に形成するとともに、静電気を帯電させる処理を施して一定の静電気の電荷が帯電した状態にしたものである。なお、超微細粒子濾過の物理現象によって、メルトブローン布は微細な空間を備えており、また、複数の繊維が積み上げられ、さらに、静電気を帯電させているため、ウイルスの進入を防止することができる。仮に進入しても、繊維が積層されており、途中でウイルスの進入を阻止することができ、さらに、帯電しているためウイルスを繊維に引き寄せて捕捉することでウイルス遮断機能として作用する。
【００２８】
また、メルトブレーン材料は、空気中においては吸湿性が悪く、通常、乾燥している状態である。そのため、フィルタとして使用しても長時間使用でき、さらには、長期間使用しても静電気の電荷を失うことなく、常に電荷を保持した状態を維持できる。
【００２９】
次に、本実施形態に係るウイルス対策ゴーグル１の使用状態について説明する。なお、本ウイルス対策ゴーグル１は、ウイルス感染した患者を対処する者に装着して二次感染を予防するのに好適であるため、以下、医療従事者が使用する場合として説明する。
【００３０】
医療従事者は、ウイルス対策が施されたマスクを装着し、そのマスクの上からウイルス対策ゴーグル１を装着する。すなわち、ウイルス対策ゴーグル１のバンド部４を後頭部に装着しつつ耳に引っかける。このとき、ゴーグル本体２の覆部２０は、両眼Ｅ，Ｅの周囲を覆いつつさらに鼻Ｎを露出するように覆いながら皮膚に密着するようにしている。
【００３１】
そして、例えば患者が処置室内にいる場合であれば、医療従事者はウイルス対策ゴーグル１を装着した状態で処置室に入室し、患者の診療、診断などを行う。通気部３を備えているため、透明なレンズ部１１が曇ることがないため診察などに支障を来すことがない。また、患者がウイルス感染してり、なおかつそのウイルスが粘膜などを介して感染するようなものであったとしても、静電気帯電フィルタ５を備えているため、眼Eから感染するおそれがない。なお、患者のいる処置室に入室した直後、及び診察後には窓等を開けて換気することが望ましい。
【００３２】
医療従事者は、診断が終了した後、ウイルス対策ゴーグルを装着した状態でアルコール消毒剤等を含浸した布で拭いて消毒する。その後、ウイルス対策ゴーグルを室内等で陰干し乾燥する。本ウイルス対策ゴーグルは、以後複数回にわたり使用することが可能となる。
【００３３】
ここで、ウイルス対策ゴーグル１の通気部３の作用について以下に説明する。
【００３４】
処置室内に飛散していうウイルスや微粒子は、通気部３から、具体的にはゴーグル本体２の外装部材３０の開口部３３から進入することが考えられる。しかし、侵入したとしても、そのウイルスは、外装部材３０の内周面３１と押え部材４０の外周面４３との隙間を上昇したときに、押え部材４０の上部４１に装着された静電気帯電フィルタ５０に捕捉されて侵入を阻止される。
【００３５】
また、密閉したゴーグル本体２内に生じた皮膚の汗腺から流れ出た汗は、蒸気となり、この蒸気は、装着開口部２３を介して押え部材４０の開口部４２から静電気帯電フィルタ５０を通過して、外装部材３０の内周面３１と押え部材４０の外周面４３との隙間を降下して外装部材３０の開口部３３からゴーグル本体２の外部へ排出する。
【００３６】
上述してきたように、本実施形態のウイルス対策ゴーグルによれば、ゴーグル本体２内の蒸気を外部へ排出できるため長時間してもゴーグル本体２のレンズ部１１が曇ることを防止できるため、医療従事者が用いるのに好適であり、しかも、通気部３は、外部からゴーグル本体２内へ進入するウイルスをカットできるため、眼Ｅ，Ｅの粘膜を介してウイルス感染することを防止することが可能となる。
【００３７】
また、本実施形態のウイルス対策ゴーグルによれば、各通気部３の内周面３１には、断面視台形の静電気帯電フィルタ５０が装着されており、外部から開口部４２を介して進入したウイルスを静電気帯電フィルタ５０で捕捉してゴーグル本体２内へ進入させない効果がある。
【００３８】
さらに、本実施形態のウイルス対策ゴーグルによれば、静電気帯電フィルタは、メルトブローン材料からなるので、帯電したメルトブローン材料でウイルスを捕捉し、さらに、繊維構造でウイルスの進入を阻止することができ、ゴーグル本体内へのウイルスの進入を確実に防止できる効果がある。
【００３９】
次に、ウイルス対策ゴーグル１の通気部３の変形例について説明する。図４は本変形例に係る通気部３の説明図である。
【００４０】
本変形例に係る通気部３も、外装部材３０と押え部材４０と静電気帯電フィルタ５０とを具備しているが、外装部材３０は、上述した実施形態の構成と同一のため重複説明を省略する。
【００４１】
本変形例に係る通気部３は、図３に示した通気部３と異なり、静電気帯電フィルタ５０の形状を断面視台形とするとともに、押え部材４０の外周面４３および上部４１に開口部４２を形成した点にある。
【００４２】
押え部材４０には、外周面４３に開口部４２が形成されている。この開口部４２は、外装部材３０に設けられた開口部３３と略同面積であり、かつ互いに重合する位置に設けている。
【００４３】
静電気帯電フィルタ５０は、外装部材３０及び押え部材４０と同様、断面視台形に形成されており、外装部材３０及び押え部材４０の間にサンドイッチ状に介設される構成となっている。
【００４４】
ここで、断面視台形の静電気帯電フィルタ５０を通気部３内に装着する手順について説明する。
【００４５】
この押え部材４０を覆うように断面視台形の静電気帯電フィルタ５０を被せた状態とする。
【００４６】
静電気帯電フィルタ５０を載せた状態の押え部材４０をゴーグル本体２の内側から装着開口部２３に挿入して、押え部材４０と外装部材３０とを嵌着するようにしている。
【００４７】
このとき、外装部材３０の内周面３１および天井部３５と押え部材４０の上部４１および外周面４３の間に断面視台形の静電気帯電フィルタ５０を挟んだ状態としている。
【００４８】
かかる構成の通気部において、外部から進入したウイルスは、外装部材３０の開口部３３から進入して、断面視台形の静電気帯電フィルタ５０に侵入を阻止される。一方、密閉したゴーグル本体２内に生じた汗等からなる蒸気は、装着開口部２３を介して押え部材４０の開口部４２から静電気帯電フィルタ５０を通過して、外装部材３０の開口部３３からゴーグル本体２の外部へ排出できる。
【００４９】
かかる構成によれば、上述した効果に加え、押え部材４０の外周面４３において、外装部材３０の開口部３３と重合する位置に開口部４２を設けることで、ゴーグル本体２内で発生した蒸気をより効率よくゴーグル本体２の外部へ排出できる効果がある。
【００５０】
表１は、本実施形態のウイルス対策ゴーグルを用いて以下のような試験を行った結果を示している。
【００５１】
この試験は、米国軍規格ＭＩＬＭ３６９５４Ｃ及びＡＳＴＭ（米国材料試験協会）Ｆ２１０１規格に基づく試験である。この試験を行ったネルソン研究所（ＮＥＬＳＯＮ  ＬＡＢＯＲＡＴＯＲＩＥＳ）は、アメリカ合衆国食品医薬品局（ＦＤＡ）認可のウイルス防御用具やウイルス防御使用マスクＮ規格の認定試験所として知られている。
【００５２】
試験に用いたウイルスは、細菌を宿主とするバクテリオファージとした。このバクテリオファージは、米国軍が感染防御用具の性能試験を行うために標準としているウイルスである。
【００５３】
この試験で用いた試験用粒子バクテリオファージφＸ１７４は、約２５〜２７ｎｍ程度の大きさであり、コントロール平均は、１７１４ＰＦＵである。
【００５４】
次に試験の手順を以下の順に説明する。
【００５５】
バクテリオファージφＸ１７４のストック液は、φＸ１７４を対数期の大腸菌（Ｅ.ｃｏｌｉ）培養液へ接種し、この大腸菌培養液を、大腸菌による濁りが消えるまで３７±２℃で振とうし、次いで、大きい細胞残渣を遠心分離機で除去し、続いて、０．２μｍメンブランフィルターで濾過し、残っている宿主細胞残渣を除去することにより調製されたものである。なおこのストック液は２-８℃にて保存する。
【００５６】
バクテリオファージの力価を計算し、テストサンプルあたり2200±500PFU（プラーク形成単位）以内の負荷密度が得られるよう、使用前に力価を調整する。
【００５７】
バクテリオファージ懸濁液を、制御された流量、一定の空気圧のもとにシカゴネブライザーで噴霧する。一定の負荷噴霧量により、平均粒径（MPS）約３．０μｍのエアロゾル小滴が形成される。この小滴をガラスエアロゾルチャンバーで集め、６段階の、生体粒子、アンダーソンサンプラーを通して引き出す。テストサンプルとアンダーソンサンプラーを通過する流速は、２８．３Ｌ/ｍｉｎ(ＬＰＭ)に維持する（1立方フィート/分(ＣＦＭ)）。
【００５８】
ふるい式サンプラーであるアンダーソンサンプラーにより、小滴のサイズに基づき、６つの寒天培地の１つの上にエアゾール小滴を衝突させる。分析に使用した寒天培地は、３１ｍＬの下層寒天上に、大腸菌を含む３ｍＬの上層寒天で覆うことにより構成される。負荷の後、寒天板を３７±２℃で１２〜２４時間培養した。バクテリオファージを含むそれぞれの粒子により形成されたプラーク数を数え、既報のアンダーソン換算表を用いて推定ヒット値へ変換した。
【００５９】
結果として、濾過効率は次式を用い、テストサンプル試験とテストサンプルなしの試験との間の差分をパーセントとして算出する。
【００６０】
ＶＦＥ（％）＝［［プラーク（Plaques）なしフィルタ］−［プラーク（Plaques）付きフィルタ］］／［プラーク（Plaques）なしフィルタ］
上記計算した結果を表１に示す。
【００６１】
表１
2010046389.tif 000003
【００６２】
表１にも示すように、サンプルＩＤ１〜６のいずれのサンプルにおいても、ウイルス濾過効率（VFE：Viral Filtration Efficiency）の値が99.9％以上であることが示された。
【００６３】
すなわち、本ウイルス対策ゴーグルに用いるフィルタ材のメルトブローン材料は、９９９/１０００のウイルスを防御でき、眼をウイルス感染から防御することができるウイルス対策ゴーグルを提供することが可能となる。
【００６４】
次に、他の実施形態に係るウイルス対策ゴーグルについて説明する。図５は本実施形態のウイルス対策ゴーグルの要部である通気部を示す説明図である。
【００６５】
先の実施形態に係るウイルス対策ゴーグルとの違いは、使用後に通気部３を塞ぐカバー部６０を備えた構造としたことにある。
【００６６】
このカバー部６０は、外装部材３０及び押え部材４０よりも一回り大きな断面視台形に形成されており、裾部６２に形成した凹部６１を、ゴーグル本体２の覆部２０に設けた凸部２４に嵌着することにより、通気部３を全体的に被覆可能な構成となっている。
【００６７】
カバー部６０は、例えば医療従事者が患者診察後に通気部３を覆うように装着することで、静電気帯電フィルタ５０に付着したウイルスが何等かの理由で外部へ飛散することを防止できるため、非使用時や保管時に有用となる。
【００６８】
また、カバー部６０を装着した状態で、ゴーグル本体２の内部の装着開口部２３を介して静電気帯電フィルタ５０へ消毒用アルコールを含浸させると、アルコールによりウイルスの構成たんぱく質を変性させて死滅（失活）させることが可能となる。
【００６９】
なお、本ウイルス対策ゴーグルは、ウイルスの他に細菌や人体に有害な物質に汚染された微粒子の進入も阻止することができ、安全でかつ安心して長時間使用することを可能である。
【００７０】
なお、上述してきた実施形態では、ウイルス対策ゴーグの使用者を医療従事者として説明したが、かならずしも医療従事者に限られるわけではなく、家庭などにおいて使用することができる。
【図面の簡単な説明】
【００７１】
【図１】本実施形態のウイルス対策ゴーグルを示す構成図である。
【図２】本実施形態のウイルス対策ゴーグルを頭部に装着した状態を示す説明図である。
【図３】本実施形態のウイルス対策ゴーグルの要部である通気部を示す構成図である。
【図４】本実施形態のウイルス対策ゴーグルの要部である通気部の他の例を示す構成図である。
【図５】本実施形態の他のウイルス対策ゴーグルの要部である通気部にカバー部を装着した状態を示す説明図である。
【符号の説明】
【００７２】
Ｅ  眼
Ｈ  頭部
Ｎ  鼻
１  ウイルス対策ゴーグル
２  ゴーグル本体
３  通気部
４  バンド部
１０  前面開口部
１１  レンズ部
２０  覆部
２１  上部
２２  下部
２３  装着開口部
２４  凸部
３０  外装部材
３１  内周面
３２  外周面
３３  開口部
３４  下端部
３５  天井部
４０  押え部材
４１  上部
４２  開口部
４３  外周面
５０  静電気帯電フィルタ
６０  カバー部
６１  凹部
【図１】
2010046389.tif 000004
【図２】
2010046389.tif 000005
【図３】
2010046389.tif 000006
【図４】
2010046389.tif 000007
【図５】
2010046389.tif 000008